(57)【要約】【課題】  中空球状多面体を呈し、組合せが簡単で強固で、分解が容易で分解後の体積が少なく、収納、包装、運輸に便利な装飾品アセンブリの提供。【解決手段】  六角形片体と五角形片体の辺長が等しくされ且つ内側面に凸柱と係止溝が凸設され、該凸柱が係止溝に対応し、実施時には、六角形片体と五角形片体が交錯するよう密接に組み合わされ、六角形片体側辺の凸柱が五角形片体の対応する係止溝に挿入されるか、或いは五角形片体の側辺の凸柱が六角形片体の対応する係止溝に挿入されて組み合わされて、中空球状多面体の装飾品を構成する。【選択図】        図２
2006158591.tif 000002
【特許請求の範囲】
【請求項１】
複数の六角形片体と複数の五角形片体を具えた装飾品アセンブリにおいて、
該六角形片体が辺長の等しい正六角形とされ、各辺が僅かに内向きに傾斜し且つ内側面に複数の凸柱と係止溝が凸設され、
該五角形片体が辺長の等しい正五角形とされ、その辺長が前述の六角形片体の辺長と等しくされ、五角形片体の各辺が僅かに内向きに傾斜し且つ内側面に複数の凸柱と係止溝が凸設され、
該六角形片体の凸柱が別の六角形片体の係止溝或いは五角形片体の係止溝に対応し、六角形片体の係止溝が別の六角形片体の凸柱或いは五角形片体の凸柱に対応し、
六角形片体と別の六角形片体、五角形片体の対応する辺が密接に接合され、側辺の凸柱が対応する係止溝に嵌合され、係止溝が対応する凸柱に嵌合され、複数の六角形片体と複数の五角形片体が交錯するように組み合わされて、中空球状多面体の装飾品構造を形成することを特徴とする、装飾品アセンブリ。
【請求項２】
請求項１記載の装飾品アセンブリにおいて、
複数の六角形片体の外側周辺が突出して凹環が形成され、該凹環に切欠きが形成され、  複数の五角形片体の外側周辺が突出して凹環が形成され、該凹環に切欠きが形成され、  複数の六角形板体が六角形片体の形状に対応して設置され、該六角形板体が六角形片体の凹環に対応し嵌合され、
複数の五角形板体が五角形片体の形状に対応して設置され、該五角形板体が五角形片体の凹環に対応し嵌合されたことを特徴とする、装飾品アセンブリ。
【請求項３】
請求項１又は２記載の装飾品アセンブリにおいて、六角形板体が装着用ワッペンとされたことを特徴とする、装飾品アセンブリ。
【請求項４】
請求項１又は２記載の装飾品アセンブリにおいて、五角形板体が装着用ワッペンとされたことを特徴とする、装飾品アセンブリ。
【発明の詳細な説明】
【技術分野】
【０００１】
本発明は一種の装飾品アセンブリに係り、特に、辺長が等しく異なる辺数の多角形片体を交錯するように密接に組み合わせて、多角形片体側辺の凸柱を隣接する別の多角形片体の対応する係止溝に係合させることで、簡単に組合せられる中空球状多面体の装飾品に関する。
【背景技術】
【０００２】
球体状の装飾物或いは装飾品は、その外表球面が装飾時の主要な視覚設計上の美観訴求に応じるものとされ、見えない内部は重要ではない。ゆえに球体状の装飾物或いは装飾品は通常、中空が主要な構造とされ、製造材料を減らし、製造コストを下げ、製品重量を軽減する訴求を達成している。
【０００３】
設計上、中空球体の装飾物或いは装飾品は、美観を達成し、製造コストを下げる要求を達成するが、その内部が中空であるため、占有する空間が大きく、使用者が収納しにくく、収容空間を占拠する等の欠点がある。また、製造者による包装も容易でなく、材料体積が大きいため、運輸コストが増す。
【０００４】
周知の特許文献１には図１に示される構造が記載され、それは、六角形片体と複数の五角形片体を利用し、これら片体の側辺に対応する凸板と凹溝が設けられ、片体側辺の凸板が別の片体の凹溝に対応し嵌め込まれることで、組み合わされて中空球状多面体の構造を形成する。この周知の技術の構造は、前述の多くの問題を解決する。しかし、多角形片体側辺の凸板と凹溝の嵌合構造の利用は、その嵌合組合せが容易でなく、特に最後の数片の多角形片体の嵌合が容易でなく、同時に三辺、四辺或いは五辺を嵌合させなければならず、嵌合組合せが更に容易でなく、僅かに力を入れすぎただけで既に嵌合された多角形片体が分解してしまい、組立上の欠点を形成する。
【０００５】
【特許文献１】ＰＣＴ公開ＷＯ０２／１００６５７Ａ１号
【発明の開示】
【発明が解決しようとする課題】
【０００６】
本発明は一種の装飾品アセンブリを提供することを目的とし、それは、装飾、収納の目的を達成し、周知の装飾物或いは装飾品の占有空間が大きく、使用者による収納が容易でなく、製造者による包装が容易でなく、ストック空間を浪費し、運輸コストを増す等の欠点を解決し、また組合せが容易で、分解が迅速に行なえる長所を有するものとする。
【課題を解決するための手段】
【０００７】
請求項１の発明は、
複数の六角形片体と複数の五角形片体を具えた装飾品アセンブリにおいて、
該六角形片体が辺長の等しい正六角形とされ、各辺が僅かに内向きに傾斜し且つ内側面に複数の凸柱と係止溝が凸設され、
該五角形片体が辺長の等しい正五角形とされ、その辺長が前述の六角形片体の辺長と等しくされ、五角形片体の各辺が僅かに内向きに傾斜し且つ内側面に複数の凸柱と係止溝が凸設され、
該六角形片体の凸柱が別の六角形片体の係止溝或いは五角形片体の係止溝に対応し、六角形片体の係止溝が別の六角形片体の凸柱或いは五角形片体の凸柱に対応し、
六角形片体と別の六角形片体、五角形片体の対応する辺が密接に接合され、側辺の凸柱が対応する係止溝に嵌合され、係止溝が対応する凸柱に嵌合され、複数の六角形片体と複数の五角形片体が交錯するように組み合わされて、中空球状多面体の装飾品構造を形成することを特徴とする、装飾品アセンブリとしている。
請求項２の発明は、請求項１記載の装飾品アセンブリにおいて、
複数の六角形片体の外側周辺が突出して凹環が形成され、該凹環に切欠きが形成され、  複数の五角形片体の外側周辺が突出して凹環が形成され、該凹環に切欠きが形成され、  複数の六角形板体が六角形片体の形状に対応して設置され、該六角形板体が六角形片体の凹環に対応し嵌合され、
複数の五角形板体が五角形片体の形状に対応して設置され、該五角形板体が五角形片体の凹環に対応し嵌合されたことを特徴とする、装飾品アセンブリとしている。
請求項３の発明は、請求項１又は２記載の装飾品アセンブリにおいて、六角形板体が装着用ワッペンとされたことを特徴とする、装飾品アセンブリとしている。
請求項４の発明は、請求項１又は２記載の装飾品アセンブリにおいて、五角形板体が装着用ワッペンとされたことを特徴とする、装飾品アセンブリとしている。
【発明の効果】
【０００８】
本発明の装飾品アセンブリは、多角形片体の側辺の凸柱が別の多角形片体の係止溝に対応し嵌合されることで、中空球状多面体の構造を形成する。
【０００９】
本発明の装飾品アセンブリは、多角形片体の側辺の凸柱と係止溝が嵌合され、該凸柱と係止溝の支持により、有効に中空球状多面体の構造強度と耐圧力が増されている。
【００１０】
本発明の装飾品アセンブリは、組合せが簡単で、分解が容易であり、分解後の体積が少なく、使用者による収納に便利で、更に包装、運輸に便利で、販売のコストを減らすことができる。
【発明を実施するための最良の形態】
【００１１】
本発明は一種の装飾品アセンブリを提供し、それは、複数の六角形片体と複数の五角形片体を具えている。本発明の特徴は、該六角形片体と五角形片体の辺長が等しくされ、且つ内側面に凸柱と係止溝が凸設され、該凸柱が係止溝に対応することにある。実施時には、六角形片体と五角形片体が交錯するよう密接に組み合わされ、六角形片体側辺の凸柱が五角形片体の対応する係止溝に挿入されるか、或いは五角形片体の側辺の凸柱が六角形片体の対応する係止溝に挿入されて組み合わされて、中空球状多面体の装飾品を構成する。
【実施例１】
【００１２】
図２から図４に示されるように、本発明の装飾品アセンブリは、複数の六角形片体１と複数の五角形片体を具えている。
【００１３】
そのうち、該六角形片体１は、辺長が等しい正六角形とされ、各辺は僅かに内向きに傾斜し且つ内側面に複数の凸柱１１と係止溝１２が凸設され、六角形片体１に穿孔１３が設けられている。
【００１４】
該五角形片体２は、辺長が等しい正五角形とされ、その辺長は前述の六角形片体１の辺長と等しくされ、五角形片体２の各辺は僅かに内向きに傾斜し且つ内側面に複数の凸柱２１と係止溝２２が凸設され、五角形片体２に穿孔２３が設けられている。
【００１５】
前述の六角形片体１の凸柱１１は別の六角形片体１の係止溝１２或いは五角形片体２の係止溝２２に対応し、六角形片体１の係止溝１２は別の六角形片体１の凸柱１１或いは五角形片体２の凸柱２１に対応する。
【００１６】
実施時には、図２に示されるように、六角形片体１と別の六角形片体１或いは五角形片体２の辺と辺が密着させられ、六角形片体１の側辺の凸柱１１が別の六角形片体１の係止溝１２或いは五角形片体２の係止溝２２に嵌合されるか、或いは六角形片体１の側辺の係止溝１２が別の六角形片体１の凸柱１１或いは五角形片体２の凸柱２１に嵌合され、複数の六角形片体１と複数の五角形片体２が交錯するように組み合わされて中空球状多面体の装飾品を形成する。
【００１７】
図５、６に示されるように、複数の六角形片体１の外側周辺は突出して凹環１０を形成し、該凹環１０に切欠き１０１が形成され、複数の五角形片体２の外側周辺は突出して凹環２０を形成し、該凹環２０に切欠き２０１が形成されている。別に複数の六角形板体３と五角形板体４が設けられ、本実施例では、該六角形板体３と五角形板体４はワッペンとされ、その外側面に各種の記念パターンが設けられている。そのうち、該六角形板体３は六角形片体１の凹環１０に嵌合固定され、該切欠き１０１は使用者が爪で該六角形板体３を取り出すのに供される。該五角形板体４は五角形片体２の凹環２０中に嵌合固定され、該切欠き２０１は使用者が爪で該五角形板体４を取り出すのに供される。
【００１８】
六角形板体３と五角形板体４が中空球状多面体の装飾品の外環周に組付けられることで、本発明は更に装飾効果と記念の趣味性を具備するものとなる。
【００１９】
図７は本発明の一部部品の拡大図であり、図中に六角形片体１の外側周辺の凹環１０、該凹環１０に形成された切欠き１０１、六角形片体１の中央に設置された穿孔１３、六角形片体１側辺の凸柱１１と係止溝１２が明らかに示されている。また、六角形板体３は更に装着用のワッペンに設計され、それは六角形板体３の下（内）側面に留め具３１が設置され、該留め具３１は周知のワッペンの留め具形式とされるため、説明を省略する。
【００２０】
組合せ時には、該六角形板体３の下（内）側面の留め具３１が六角形片体１の中央の穿孔１３に通される。
【００２１】
このワッペン形式の六角形板体３により、六角形板体３が収納性を有するほか、本発明の実用機能を増す。また、本発明の五角形片体２に組み合わされる五角形板体４も留め具を組み合わせて装着用ワッペンに設計することができる。
【００２２】
以上の実施例は本発明の実施範囲を限定するものではなく、本発明に基づきなしうる細部の修飾或いは改変は、いずれも本発明の請求範囲に属するものとする。
【００２３】
上述したように、本発明の装飾品アセンブリは、その組立、分解が容易で、構造が緊密で確実であり、実用機能を有し、並びにこれまでにない新設計であり、進歩性を有しており、ゆえに特許の要件を具備するものである。
【図面の簡単な説明】
【００２４】
【図１】周知の技術の立体図である。
【図２】本発明の実施例の立体分解図（一）である。
【図３】本発明の実施例の立体分解図（二）である。
【図４】本発明の実施例の立体組合せ図である。
【図５】本発明の実施例の六角形板体と五角形板体を組合せる状態図である。
【図６】本発明の実施例の六角形板体と五角形板体を組合せた後の状態図である。
【図７】本発明の実施例の部分部品の組合せ図である。
【符号の説明】
【００２５】
１  六角形片体
１０  凹環
１０１  切欠き
１１  凸柱
１２  係止溝
１３  穿孔
２  五角形片体
２０  凹環
２０１  切欠き
２１  凸柱
２２  係止溝
２３  穿孔
３  六角形板体
３１  留め具
４  五角形板体
【図１】
2006158591.tif 000003
【図２】
2006158591.tif 000004
【図３】
2006158591.tif 000005
【図４】
2006158591.tif 000006
【図５】
2006158591.tif 000007
【図６】
2006158591.tif 000008
【図７】
2006158591.tif 000009